(57)【要約】【課題】  タッチパネルを用いた移動体端末等の操作を確保しつつ、その液晶パネルの視認性を高めた新規な携帯情報端末用ホルダの開発を試みたものである。【解決手段】  本発明の携帯情報端末用ホルダＨは、所望の位置に設定固定するためのアタッチメント部３と、このアタッチメント部３に取り付けられ、携帯情報端末Ｐを保持固定するホルダ本体部２と、このホルダ本体部２に覆い被せるようにして取り付けられる遮光フード１とによって構成されるマウントホルダであって、正面側である前記遮光フード１の開口部の上部には庇状部１５ａを具えており、更にその開口部の全域には曲面状の透過保護パネル１６が供えられていることを特徴として成るものである。【選択図】図１
2013258572.tif 000002
【特許請求の範囲】
【請求項１】
所望の位置に設定固定するためのアタッチメント部と、
このアタッチメント部に取り付けられ、携帯情報端末を保持固定するホルダ本体部と、
このホルダ本体部に覆い被せるようにして取り付けられる遮光フードとによって構成されるマウントホルダであって、
正面側である前記遮光フードの開口部の上部には庇状部を具えており、更にその開口部の全域には曲面状の透過保護パネルが供えられていることを特徴とする携帯情報端末用ホルダ。
【請求項２】
前記遮光フードは、前記ホルダ本体部と連結固定された固定フレームの一端に、ヒンジ部を介して回動自在に取り付けられていることを特徴とする前記請求項１記載の携帯情報端末用ホルダ。
【請求項３】
前記遮光フードを回動自在に取り付けるためのヒンジ部は、固定フレームの上部側を回動支点とするものであり、跳ね上げられるように回動してその内部を開放させる構造であることを特徴とする前記請求項１または２記載の携帯情報端末用ホルダ。
【請求項４】
前記透過保護パネルは、その中央部が内部のホルダ本体部側に向った凹状曲面であることを特徴とする前記請求項１、２または３記載の携帯情報端末用ホルダ。
【請求項５】
前記遮光フードの内周面は、非光沢処理がなされていることを特徴とする前記請求項１、２、３または４記載の携帯情報端末用ホルダ。
【請求項６】
前記ホルダ本体部には、携帯情報端末に電源を供給するため配線が具えられていることを特徴とする前記請求項１、２、３、４または５記載の携帯情報端末用ホルダ。
【請求項７】
前記遮光フードには、音声入力による携帯情報端末の操作を向上させ、更に携帯情報端末から発せられる音声、警告音を認知できるように連通孔が具えられていることを特徴とする前記請求項１、２、３、４、５または６記載の携帯情報端末用ホルダ。
【請求項８】
前記遮光フードには、携帯情報端末が適正に動作する環境を維持するための管理装置が具えられていることを特徴とする前記請求項１、２、３、４、５、６または７記載の携帯情報端末用ホルダ。
【発明の詳細な説明】
【技術分野】
【０００１】
本願発明は、車両等に設置する携帯情報端末用ホルダに関するものであって、特に外部光による映り込み等を防ぎ、あらゆる状況下においても視認性を高く維持することができる新規な携帯情報端末用ホルダに係るものである。
【背景技術】
【０００２】
近年「スマートフォン」と呼ばれる機能拡張した携帯情報端末が広く利用されるようになってきている。これらスマートフォンの中には、ＧＰＳ衛星や無線基地局から信号等を受信して位置情報を得るいわゆるＧＰＳ機能あるいは、それに類似する機能が具えているものが市場に提供されている。
これらのＧＰＳ機能を具えたスマートフォンは、既存のルート検索を行うナビゲーションの代用機器、タクシーなどの業務用補助デバイスとして用いることが提案されており、自動車のみならず、自動二輪車、自転車等の運転者も使用している。このような使用方法においては、運転者が逐次視認できる位置にスマートフォンを保持する必要があり、これらの保持具も種々の形態のものが市場に提供されている。
【０００３】
この携帯情報端末の一形態であるスマートフォンは、一般に対角３〜４インチ程度のタッチパネル機能付液晶パネルを用いており、その操作を行うにあたっては液晶パネル自体に直接触れることが一般的な操作方法である。
このため、車両等に設置にするにあたっても、原則としてタッチパネル表面へのアクセスを残しつつ、その液晶画面への太陽光、照明光の映り込み等を防ぐ、例えば庇状のフードを設けるなどの工夫がなされてきた（特許文献１）。
一方同様な技術課題を有している自動車用計器類においては、限りなく映り込み等を低減するために透過パネルを用いることが慣用技術となっているが、スマートフォンを用いる場合には、その操作自体を妨げるため、透過パネルを用いる手法をそのまま適用することができない。
【先行技術文献】
【特許文献】
【０００４】
【特許文献１】特開平５−２１１５４8 号公報
【特許文献２】特開２００８−２０２７７１号公報
【発明の概要】
【発明が解決しようとする課題】
【０００５】
本発明は、これらの種々の背景を考慮してなされたものであって、タッチパネルを用いた移動体端末等の操作を確保しつつ、その液晶パネルの視認性を高めた新規な携帯情報端末用ホルダの開発を試みたものである。
【課題を解決するための手段】
【０００６】
請求項１記載の携帯情報端末用ホルダは、所望の位置に設定固定するためのアタッチメント部と、このアタッチメント部に取り付けられ、携帯情報端末を保持固定するホルダ本体部と、このホルダ本体部に覆い被せるようにして取り付けられる遮光フードとによって構成されるマウントホルダであって、正面側である前記遮光フードの開口部の上部には庇状部を具えており、更にその開口部の全域には曲面状の透過保護パネルが供えられていることを特徴として成るものである。
【０００７】
請求項２記載の携帯情報端末用ホルダは、前記請求項１記載の要件に加え、前記遮光フードについては、前記ホルダ本体部と連結固定された固定フレームの一端に、ヒンジ部を介して回動自在に取り付けられていることを特徴として成るものである。
【０００８】
請求項３記載の携帯情報端末用ホルダは、前記請求項１または２記載の要件に加え、前記遮光フードを回動自在に取り付けるためのヒンジ部については、固定フレームの上部側を回動支点とするものであり、跳ね上げられるように回動してその内部を開放させる構造であることを特徴として成るものである。
【０００９】
請求項４記載の携帯情報端末用ホルダは、前記請求項１、２または３記載の要件に加え、前記透過保護パネルについては、その中央部が内部のホルダ本体部側に向った凹状曲面であることを特徴として成るものである。
【００１０】
請求項５記載の携帯情報端末用ホルダは、前記請求項１、２、３または４記載の要件に加え、前記遮光フードの内周面については、非光沢処理がなされていることを特徴として成るものである。
【００１１】
請求項６記載の携帯情報端末用ホルダは、前記請求項１、２、３、４または５記載の要件に加え、前記ホルダ本体部には、携帯情報端末に電源を供給するため配線が具えられていることを特徴として成るものである。
【００１２】
請求項７記載の携帯情報端末用ホルダは、前記請求項１、２、３、４、５または６記載の要件に加え、前記遮光フードには、音声入力による携帯情報端末の操作を向上させ、更に携帯情報端末から発せられる音声、警告音を認知できるように連通孔が具えられていることを特徴として成るものである。
【００１３】
請求項８記載の携帯情報端末用ホルダは、前記請求項１、２、３、４、５、６または７記載の要件に加えて、前記遮光フードには、携帯情報端末が適正に動作する環境を維持するための管理装置が具えられていることを特徴として成るものである。
【発明の効果】
【００１４】
まず請求項１記載の発明によれば、スマートフォン等の携帯情報端末を覆い被せるように遮光フードが設けられていることから、いろいろな角度で入射する外部光があった場合であってもそれらの光の反射を防ぐことができる。更に携帯情報端末の表示パネルの前方には透過性パネルが配されているので、液晶パネルの損傷を防ぐことができる。
【００１５】
また請求項２記載の発明によれば、遮光フードがヒンジ部を介して扛伏自在に取り付けられていることから、内部の携帯情報端末を操作する必要が生じた場合には、遮光フードをヒンジ部を中心にして移動させることで、一時的に携帯情報端末のタッチ式液晶パネルやボタンにアクセスことができる。
【００１６】
また請求項３記載の発明によれば、ヒンジ部が上部側に設けられていることで、いわば遮光フードを上方に跳ね上げるように退去させて携帯情報端末を操作し、操作終了後は遮光フードを押し下げるようにして定常状態に戻すことができる。この際、遮光フードの上方に設けられた庇部を保持して操作することができるので、透過保護パネルに触れることがないためにその汚損を防ぐことができる。
【００１７】
また請求項４記載の発明によれば、透過保護パネルが内側（携帯情報端末側）に湾曲しているため、外部の反射を防ぐことができ、あらゆる状況下においても高い視認性を維持することができる。
【００１８】
また請求項５記載の発明によれば、遮光フード内周面は非光沢処理がなされており、このため、その内部の携帯情報端末の表示パネルから発せられた光が乱反射することなく、高い視認性を維持することができる。
【００１９】
また請求項６記載の発明によれば、携帯情報端末用ホルダには、携帯情報端末に電源を供給するため配線を有していることから、携帯情報端末に内蔵されているバッテリの消耗を考慮せずに、視認性を高めるためにバックライトの発光状態を高めることができる。
【００２０】
また請求項７記載の発明によれば、携帯情報端末用ホルダの遮光フードには連通孔が具えられていることから、携帯情報端末の音声操作が可能となり、更に携帯情報端末から発せられた音声、警告音を認知することができる。
【００２１】
また請求項８記載の発明によれば、携帯情報端末用ホルダの遮光フードには、携帯情報端末が適正に動作する環境を維持するための管理装置が具えられていることから、夏季、冬季などの携帯情報端末の動作環境として厳しい場合であっても携帯情報端末を適正に継続的に動作させることができる。
【図面の簡単な説明】
【００２２】
【図１】本願発明の携帯情報端末用ホルダの使用状態を示す説明図である。
【図２】本願発明の携帯情報端末用ホルダの遮光フードを示す説明図である。
【図３】同上正面図である。
【図４】本願発明の携帯情報端末用ホルダを示す側面図である。
【図５−１】本願発明の携帯情報端末用ホルダの使用手順を示す説明図である。
【図５−２】本願発明の携帯情報端末用ホルダの使用手順を示す説明図である。
【図６−１】本願発明の携帯情報端末用ホルダの他の実施例を示す説明図である。
【図６−２】本願発明の携帯情報端末用ホルダの他の実施例を示す説明図である。
【図７】本願発明の携帯情報端末用ホルダの他の実施例を示す説明図である。
【図８】本願発明の携帯情報端末用ホルダの管理装置を示す説明図である。
【発明を実施するための形態】
【００２３】
本発明を実施するための形態は、以下述べる実施例をその一つとするものであると共に、この技術思想に基づく種々の改良した実施例も含むものである。
【実施例】
【００２４】
以下、本発明の携帯情報端末用ホルダＨを図示の実施例に基づいて具体的に説明する。
まず本発明の携帯情報端末用ホルダＨを説明するにあたり、携帯情報端末Ｐについて簡単に説明する。本明細書中の「携帯情報端末」とは、近年利用者が増加している、高性能な情報処理能力を具えた移動通信体である、いわゆる「スマートフォン」をはじめ、更にタッチパネル機能を具えた高性能な情報処理装置であり、いわゆる「タブレット型情報端末（パーソナルコンピュータも含む）」を含み、更には、従来のＰＤＡ（ＰｅｒｓｏｎａｌＤｉｇｉｔａｌＡｓｓｉｓｔａｎｔ）などに該当するものを包括したものとして定義する。
また本明細書において手前側（正面側）と指示する場合には、利用者が対面する液晶表示パネルが露見する側を言い、また奥側（背面側）は液晶表示パネルの裏面側を指し示すものである。
【００２５】
まず本発明の携帯情報端末用ホルダＨは、その内部に保持対象である携帯情報端末Ｐを収容保持するものであって、外殻部材である遮光フード１と、携帯情報端末Ｐの固定保持を担うホルダ本体部２と、これらを車両Ｃの一例である自動車の車内などの設置場所に固定するためのアタッチメント部３とを主要な部材として構成される。以下、これら部材について説明する。
【００２６】
遮光フード１について説明すると、このものは、その内部に携帯情報端末Ｐを収容する空間を有する箱状部材である。具体的には、図１、２に示すように基盤フレーム１１に対して重ね合わせるように固定枠１２を固定し、この固定枠１２の一部に設けられたヒンジ部１３を介してフード本体１５が扛伏自在に取り付けられている。
基盤フレーム１１は、充分な強度を有する素材によって構成されており、いわば基台となる平板状の部材である。このものは、その表面側の面にホルダ本体部２が接続され、一方の裏面側にはアタッチメント部３が接続されるものである。
次にこの基盤フレーム１１に取り付けられる固定枠１２について説明すると、このものは、図に示すように一例として基盤フレーム１１の周縁に沿うような矩形状の枠部材であり、その一辺（本実施例ではその上方の一辺）にヒンジ構造の一方を構成するヒンジ部１３が形成されている。
【００２７】
次にヒンジ部１３に対応するヒンジ部突起１４をその一部に具えたフード本体１５について説明する。このものは、図１、２に示すように収容される携帯情報端末Ｐの周囲を保護し、外部からの光を遮るための部材であって、一例として正面側と背面側が貫通した四面によって構成される箱状部材である。本実施例では、この四面のうち上面の正面側を平面視で半円状に張り出させて上部庇１５ａとし、その対向する下面に下部庇１５ｂを設ける。この下部庇１５ｂは、正面側を上部庇１５ａよりもやや張り出し量を少なくするように張り出させた形状を有する。そして、他の対向する両側面については、図に示すように張り出し量の多い上面から張り出し量の少ない下面を繋げるように下窄まり状とする側部覆板１５ｃを具えているものである。
なお実施例においては、ヒンジ部１３と、ヒンジ部突起１４とによって構成されるヒンジ機構には、所定の角度で扛伏状態が保持される保持機能を有しているものである。
更にこのフード本体１５の背面側の周縁には、これと接する固定枠１２との密着状態を維持できるように嵌め合い部を設けている。もちろん、このような扛伏角度の維持機構、密着状態の維持機構については、適宜の従来技術を用いることももとより差し支えない。
【００２８】
次にこのフード本体１５の開放された正面側に取り付けられる、保護パネル１６について説明する。このものは、充分な透過性を有したプラスチック等の素材によって成形された透過部材であって、一例としてフード本体１５の側部覆板１５ｃの形状に沿うように正面側上部から下方にかけて、裏面側に退去するように曲成された形状を有している。
この保護パネル１６の表面には、光学的機能などを付加するため、例えばすり傷の防止用コーティング、汚損防止用コーティング、反射防止用コーティング、曇り止め用コーティング、静電気防止コーティングなどの適宜の表面処理を施されていることが好ましい。
このような表面処理を施すことによって、先に述べたような曲成したものでない平面状の保護パネル１６を用いることもできることは言うまでもない。
保護パネル１６をフード本体１５へ取り付けるにあたっては、一例として図４に示すようにフード本体１５の側部覆板１５ｃの端部形状に沿うように傾斜させて取り付けているが、外部光の反射を防止するためのするための適宜な手法を用いている場合には、例えば垂直方向などの適宜の角度に設定することも差し支えない。
またフード本体１５への具体的な固定手法としては、嵌め込んで固定するほか接着剤による固定などが可能である。
【００２９】
また上述したフード本体１５の周面を構成している平板状部材や保護パネル１６には、その一部に外部光の侵入や光の乱反射を防ぎつつ、その内部の携帯情報端末Ｐから発せられる操作音、警告音、音声などの音を聞き取り易く、また音声入力操作等を向上させるための連通孔１７を設けている。この連通孔１７は、具体的には、携帯情報端末Ｐのマイクやスピーカの配置される位置に対応する基盤フレーム１１の中央部やフード本体１５を構成する底面側に、スリット状やパンチング状に貫通させた形態をとる。
なお言うまでもないが、この連通孔１７は、音の聞き取り易さ、音声入力の精度を向上するための効果に加えて、フード本体１５内に収容された携帯情報端末Ｐから発せられる熱を外部に放出する作用を有する。
【００３０】
次に上述した基盤フレーム１１の表面側に取り付けられる、ホルダ本体部２について説明する。このものは、収容する携帯情報端末Ｐを保持固定するための部材であって、図４に示すように先ず携帯情報端末Ｐの背面側に密着する正面視で矩形状の背面基盤２０が設けられる。そしてこの背面基盤２０の左右端部には、水平方向にスライド自在なクランプアーム２１が左右一対で設けられ、更に背面基盤２０の下端縁には、複数の爪状の下部保持突起２２が設けられて、保持対象となる携帯情報端末Ｐを、底面と両側面とを挟み込むようにして保持固定するものである。基本的にこのホルダ本体部２の構造は、公知のホルダ構造を用いたものであるため、その構造については簡単に説明する。
まず背面基盤２０について説明すると、このものは、保持する携帯情報端末Ｐのサイズに応じた大きさとなっており、いわゆるスマートフォンであれば、長辺が約１２センチ前後、短辺が約７センチ前後の大きさとなっている。
【００３１】
次に背面基盤２０の左右端部に設けられたクランプアーム２１について説明すると、このものは水平方向にスライド自在になるような構成を採っており、その背面基盤２０からアーム部が立ち上がるように構成され、それらのアーム先端側は、互いに向き合う側に若干傾斜した形状である。
また背面基盤２０、クランプアーム２１、下部保持突起２２のそれぞれの表面には、滑り止めと接触による携帯情報端末Ｐの損傷を防止するため、スポンジ製、シリコン製、ゴム製などの保護パッド２３が貼付されている。
そして図４に示すように、このホルダ本体部２は連結部２４を介して上述の基盤フレーム１１に接続される。この連結部２４には、一例として自在関節機構を具えており、基盤フレーム１１と背面基盤２０との相対的な角度を幾分か調整できるように構成されている。
【００３２】
次に所望の位置に固定するためのアタッチメント部３について説明する。このものは、上述の遮光フード１における基盤フレーム１１の裏面側に接続されるのであって、その他端側を設置箇所に取り付けて固定するものであり、自動車等の車内、自動二輪車や自転車などのハンドルなどの設置箇所に応じて適宜の構成を用いる必要がある。
一例として図１に示すように車両Ｃのダッシュボード上に取り付ける場合を例に具体的に説明する。
図１に示すようにダッシュボードｄにおける取り付け位置には、予めネジ等によって確実に固定された固定用ベース３０が設けられている。この固定用ベース３０は、一例として着脱自在な構造を介して、支持ポスト３１を垂直方向に立ち上げるように取り付けられているものである。この支持ポスト３１には、摺動固定自在になるように昇降ブラケット３２が設けられている。本実施例においては、支持ポスト３１は、丸パイプ状の形状を有しており、これに嵌まりあうように昇降ブラケット３２は、円形の開口部を有し、その一部に固定部材が突出する位置固定片３２ａが設けられているものである。もちろんこのような固定構造については、同様の機能を発揮しうる構成を用いることはもとより差し支えない。この昇降ブラケット３２には、一例としてボールジョイント等を用いたアジャスタ部３３を介して突き出しフレーム３４に接続される。
そしてこの突き出しフレーム３４の他端部において、一方遮光フード１の基盤フレーム１１の裏面側と接続される構造となっている。
【００３３】
本発明の携帯情報端末用ホルダＨは、以上述べた構成を有するものであり、次のように用いられる。
（１．予備作業：図５−１（１））
まず携帯情報端末用ホルダＨを車両Ｃに取り付けるために、予めアタッチメント部３の固定用ベース３０をダッシュボードｄの適宜の位置に確実に取り付ける。実際の取り付けにあたっては、運転者Ｄの運転時の視界を制約することがない位置を選択することは言うまでもない。
【００３４】
（２．携帯情報端末用ホルダＨの位置決め作業：図５−１（２））
次に、この取り付けられた固定用ベース３０上に支持ポスト３１を立ち上げるように固定する。そして、この支持ポスト３１に遮光フード１とホルダ本体部２とが接続されている昇降ブラケット３２を外嵌するように取り付けて固定する。昇降ブラケット３２の固定にあたっては、位置固定片３２ａを支持ポスト３１の外周面に押し付けるようにして固定状態を維持している。
なお昇降ブラケット３２の支持ポスト３１に対する位置、向きに関しては、運転者Ｄからの視認性を考慮して適宜設定されるものである。
【００３５】
（３．携帯情報端末Ｐの取り付け：図５−１（３）、図５−２（４））
次に車両Ｃのダッシュボードｄ上に固定された携帯情報端末用ホルダＨの遮光フード１の内部に、携帯情報端末Ｐを収容し固定する。まず遮光フード１のフード本体１５をヒンジ部１３を中心に跳ね上げようにして、その内部を開放する。このときのフード本体１５の開放操作は、フード本体１５を構成している側周面の庇部を摘んで行う。このため汚れを避けたい保護パネル１６を直接指先で触れることがないために、皮脂等による汚れを生じさせず、常に鮮明な表示画面を得ることができる。
そして、遮光フード１の内部に取り付けられているホルダ本体部２に対して、携帯情報端末Ｐの設置を行う。具体的には、収容する携帯情報端末Ｐの幅とほぼ同じ寸法になるように背面基盤２０の両側面に設けられているクランプアーム２１をスライドするようにして調整した後、この両クランプアーム２１と下部保持突起２２との間に携帯情報端末Ｐを挟み込むようにして保持させる。この際クランプアーム２１の自由端が互いに対面する側に幾分か傾斜していることから、携帯情報端末Ｐは、背面基盤２０側に常に付勢されるように確実に保持される。
最後に図５−２（５）に示すように先ほど跳ね上げた遮光フード１のフード本体１５を再び元の位置に戻すことによって、携帯情報端末Ｐの取り付けが完了する。携帯情報端末用ホルダＨは、この状態で携帯情報端末Ｐの表示画面を表示させて用いるものである。
【００３６】
（４．携帯情報端末Ｐの操作作業）
更に携帯情報端末Ｐの操作が必要となった場合には、安全性の観点から車両Ｃが停止している状態になった際に、遮光フード１のフード本体１５を跳ね上げて、携帯情報端末Ｐのタッチパネル、あるいはスイッチボタンを操作によって所望の操作を行う。その後、再びフード本体１５を元の位置に戻して通常の状態として使用する。
【００３７】
〔他の実施の形態〕
本発明は以上述べた実施の形態を一つの基本的な技術思想とするものであるが、更に次のような改変が考えられる。
＜内部非反射処理＞
まず内部に収容する携帯情報端末Ｐの液晶パネルに映し出された映像によっては、遮光フード１内部で反射が生じてしまい、保護パネル１６を通して見る映像が不鮮明になってしまう場合もある。このため、遮光フード１の内側壁面あるいはホルダ本体部２の表面に光の反射を抑制する処理を施すことが好ましい。具体的には、光沢のない黒色で塗装するほか、反射を防ぐ塗料を用いて塗装するなどの手法である。
【００３８】
＜携帯情報端末用給電用配線＞
また本発明の携帯情報端末用ホルダＨを用いた場合であって、日差しの強い日中では、携帯情報端末Ｐを遮光フード１内部に収容したとしても、ある程度携帯情報端末Ｐの液晶パネルのバックライトの輝度や、画像のコントラストを高める必要が生じる場合がある。このことは、携帯情報端末Ｐに内蔵されている充電池の消耗を著しく高め、携帯情報端末Ｐ自体の使用できる時間を短くさせてしまうことにつながる。このような弊害を解決するために、携帯情報端末用ホルダＨに給電用配線２５を設けることも可能である。
具体的には、車両Ｃに搭載されているバッテリや発電機から給電され、適宜の電圧、電流に変換された後に、各種の携帯情報端末Ｐに具えられている受電用コネクタを介して携帯情報端末Ｐに給電が行われる。この際、過電流、過電圧を防止するための安全装置を給電用配線２５の一部に組み込むことももとより差し支えない。更に図７に示すように遮光フード１の上面に太陽光発電パネルＧを設置し、太陽光による発電で得られた電気を適宜変換した後、携帯情報端末Ｐに直接ないしは中継の充電池ｂを経由して給電するようにすることも可能である。
【００３９】
＜音声操作用外部マイク＞
更に図示は省略するが、携帯情報端末Ｐの機能として音声による操作が可能なものについては、音声入力が行い易いように上述の連通孔１７に加えて、音声操作用外部マイクを携帯情報端末用ホルダＨの外部に取り付けるための配線を設けておくことも可能である。最近の音声認識機能は、その認識精度が向上しているものの音声入力の質が充分でない場合にはその認識精度を高めることができない。特に車両Ｃ内で携帯情報端末Ｐを音声によって操作する場合に、車内のノイズや、外部騒音の存在によって必ずしも充分な品質での音声入力が行うことが困難な場合があるため、音声入力の品質を高めるための外部マイクを用いて音声操作を行うことが好ましい。なお外部マイクの詳細に関しては、既存のコンデンサマイク等を用いるものであり、その説明については省略する。
【００４０】
＜他の設置対象＞
本発明の携帯情報端末用ホルダＨを説明するにあたり、図示の車両Ｃのダッシュボードｄに設置したものを用いたが、このほかにも以下のような設置態様が可能である。
まず自動二輪車Ｍのハンドル部位に本願の携帯情報端末用ホルダＨを設置することも可能である。具体的には、図６−１（ａ）に示すようにハンドルバーｈにクランプ式のアタッチメント部３の固定用ベース３０を用い、支持ポスト３１、昇降ブラケット３２などの変わりに、いわゆるフレキシブルアーム３５と呼ばれる適宜の位置に固定することができるシャフト状部材を用いて遮光フード１を固定するものである。
更に自動二輪車Ｍの形態に応じて、例えば図６−１（ｂ）、図６−２（ｃ）に示すように支持ポスト３１等の高さ調整機構を省略して、燃料タンクｆｔやハンドル部のトップブリッジｔｂの上面に固定用ベース３０を設置して固定することも可能である。
また図６−２（ｄ）に示すものは、携帯情報端末用ホルダＨを自転車Ｂに取り付けたものである。この場合は、一例とてクランプ式の固定用ベース３０を用いたものである。
【００４１】
これらの自動二輪車Ｍや自転車Ｂに用いる場合には、図示を省略するが、操作音等の確認ができなくなるが、連通孔１７などを省略し、遮光フード１内部を密閉し防水性能を付与することが好ましい。
もちろん防水性能を充分に高めた場合には、例えば水上バイク、スノーモービル、ハンググライダー、パラグライダー、ヨット、カヌー、カヤックなどにも本発明の携帯情報端末用ホルダＨを設置することができる。
なお設置箇所が振動や衝撃を受け易い場合には、図６−２（ｄ）に示すようにアタッチメント部３から遮光フード１が脱落する危険が伴うため、遮光フード１の脱落防止用金具１８に脱落防止用ワイヤ１９を接続して確実な場所に予備的に連結することが好ましい。万が一携帯情報端末Ｐを収容している遮光フード１が、衝撃によってアタッチメント部３から離脱することがあっても、脱落防止用ワイヤ１９によって遮光フード１の脱落を防ぎ、携帯情報端末Ｐが破損することを回避することができる。もちろん振動、衝撃を積極的に除去する目的として既存の緩衝機構を適宜用いることは差し支えない。
【００４２】
更に図１の下図には、タブレット型端末に適した携帯情報端末用ホルダＨが示されている。このものは、一例として助手席側のシートスライドレールを固定するボルトを利用して固定用ベース３０を固定し、これにフレキシブルアーム３５を介して遮光フード１を支持させたものである。
タブレット型端末は、一般に７〜１０インチ程度の大型の液晶パネルを用いていることから、車両Ｃに設置する際はダッシュボードｄに設置すると運転者Ｄの視界を狭めてしまい安全な運転に支障が生じるためにコンソールボックス脇に設置する形態を採っている。この場合、フレキシブルアーム３５の先端側に回動機構を具えておくことで、運転者のほか、助手席側からも利用し、操作を行うことが可能となる。
【００４３】
またスマートフォン用の携帯情報端末用ホルダＨについては、図中でもスマートフォンの長辺を水平方向に位置させた横置き状態で保持するタイプのものを例に説明したが、もちろん長辺を垂直方向に位置させた縦置き状態で保持するタイプとすることも可能であり、更に双方の保持のタイプができるようにすることも可能である。
また明細書中の実施例においてヒンジ部１３は、フード本体１５の上方に設けられていたが、図示を省略するが一方の側部覆板１５ｃや、下部庇１５ｂを有した底面にヒンジ部１３を設けることも可能である。
【００４４】
＜動作環境の管理装置＞
また特許請求の範囲の請求項８に定義する「携帯情報端末が適正に動作する環境を維持するための管理装置」について説明する。
まず適正に動作する環境とは、温度環境、湿度環境を含むものであり、一般的な数値としては、温度は０℃〜３５℃、湿度は結露しない状態において５％〜９５％である。
具体的な管理装置には上述した連通孔１７の放熱作用に加えて、より積極的行うために例えば換気用ファンＦを具えることも差し支えない。図８に示すように例えば遮光フード１を構成するフード本体１５に換気用ファンＦを内蔵させることも可能である。この場合は、図７で示したような太陽光発電パネルＧ、充電池ｂなどを用いて冷却ファンを駆動させることが好ましい。もちろん、車両Ｃや自動二輪車Ｍに具えられた電源を用いて駆動させることも可能である。
この場合には、例えばフード本体１５内の温度が携帯情報端末Ｐの動作に適した温度域から外れそうになった際に自動で換気用ファンＦを可動させることも可能である。
なお換気用ファンＦの取り付け位置は、熱の放出を考慮してフード本体１５の天板側などの上方部に設けることが好ましい。
【００４５】
また本願発明の携帯情報端末用ホルダＨを図１のように車両Ｃのダッシュボードｄに設置した場合には、その下方に位置する車内空調用噴出口ｓを効果的に利用することも可能である。具体的には図８に示すようにフード本体１５の底面部位に、ハッチ状に開放させた案内フラップ１５ｄを設ける。そして夏季においては、これを開放させ、車内空調用噴出口ｓから噴出される冷気をフード本体１５に効率的に導くことができる。これにより、夏季のダッシュボードｄ付近が高温になる場合であっても携帯情報端末Ｐの温度を効率よく冷却することができ、安定した携帯情報端末Ｐの動作を維持することができる。
言うまでもないが冬季にあっては、この案内フラップ１５ｄを閉鎖させておくことが好ましいが、極めて寒冷な環境で用いる場合には案内フラップ１５ｄを開放させて、車内空調用噴出口ｓから噴出される暖気をフード本体１５内に導き入れ、その内部の温度を携帯情報端末Ｐの動作に適した温度に維持することも可能である。
なお図８に示したものは、下方にこの案内フラップ１５ｄが設けられ、上方に換気用ファンＦが設けられているが、これ以外の配置態様とすることも可能である。また図示を省略するが、上方の換気用ファンＦに換えて単なる開閉自在な連通孔１７を設けてもよい。
なお湿度環境の管理は、適宜換気用ファンＦにより空調された空気の導入を行うことで、結露を防止することを目的にしたものである。
【符号の説明】
【００４６】
Ｈ      携帯情報端末用ホルダ
Ｐ      携帯情報端末
Ｄ      運転者
Ｃ      車両
Ｂ      自転車
Ｍ      自動二輪車
ｄ      ダッシュボード
ｈ      ハンドルバー
ｆｔ    燃料タンク
ｔｂ    トップブリッジ
Ｇ      太陽光発電パネル
ｂ      充電池
Ｆ      換気用ファン
ｓ      車内空調用噴出口
１      遮光フード
２      ホルダ本体部
３      アタッチメント部
１      遮光フード
１１    基盤フレーム
１２    固定枠
１３    ヒンジ部
１４    ヒンジ部突起
１５    フード本体
１５ａ  上部庇
１５ｂ  下部庇
１５ｃ  側部覆板
１５ｄ  案内フラップ
１６    保護パネル
１７    連通孔
１８    脱落防止用金具
１９    脱落防止用ワイヤ
２      ホルダ本体部
２０    背面基盤
２１    クランプアーム
２２    下部保持突起
２３    保護パッド
２４    連結部
２５    給電用配線
３      アタッチメント部
３０    固定用ベース
３１    支持ポスト
３２    昇降ブラケット
３２ａ  位置固定片
３３    アジャスタ部
３４    突き出しフレーム
３５    フレキシブルアーム
【図１】
2013258572.tif 000003
【図２】
2013258572.tif 000004
【図３】
2013258572.tif 000005
【図４】
2013258572.tif 000006
【図５−１】
2013258572.tif 000007
【図５−２】
2013258572.tif 000008
【図６−１】
2013258572.tif 000009
【図６−２】
2013258572.tif 000010
【図７】
2013258572.tif 000011
【図８】
2013258572.tif 000012